(57)【要約】【課題】アンテナをケーシングに向けて単に押圧するだけで、摘み部を特定の方向に向けてアンテナをケーシングに収容することが出来る携帯型無線端末機を提供する。【解決手段】アンテナ４の摘み部５には、ポール部６側の端部に、本体ケーシング１の凹部１５に嵌入可能な捻り部５２が形成され、該捻り部５２は、ポール部と直交する断面の形状が正方形状を呈すると共に、該断面形状がその図芯を中心としてアンテナ４の先端側から基端側に向かって徐々に回転しつつ縮小しており、前記凹部１５は、アンテナ４の捻り部５２の最大断面形状を有する部位との嵌合位置に、該部位が密に若しくは周囲に僅かな余裕をもって嵌まる多角形状の開口１４を有している。【選択図】      図１
2004221728.tif 000002
【特許請求の範囲】
【請求項１】
ケーシング（１）の端部に、ポール部（６）と摘み部（５）を同軸上に具えたアンテナ（４）が、ポール部（６）をケーシング（１）内に収容した収容位置とポール部（６）をケーシング（１）から引き出した引出し位置との間で往復移動可能、且つポール部（６）を中心として回転可能に取り付けられ、ケーシング（１）には、アンテナ（４）の摘み部（５）が嵌合すべき凹部（１５）が形成され、該凹部（１５）の底面にアンテナ（４）のポール部（６）が貫通する孔（１６）が開設されている携帯型無線端末機において、
前記アンテナ（４）の摘み部（５）には、ポール部（６）側の端部に、前記ケーシング（１）の凹部（１５）に嵌入可能な捻り部（５２）が形成され、該捻り部（５２）は、前記往復移動方向と直交する断面の形状が複数の辺を点対称に配置してなる多角形状を呈すると共に、該断面形状がその図芯を中心としてアンテナ（４）の先端側から基端側に向かって徐々に回転しつつ縮小しており、前記ケーシング（１）の凹部（１５）は、アンテナ（４）の捻り部（５２）の最大断面形状を有する部位との嵌合位置に、該部位が密に若しくは周囲に僅かな余裕をもって嵌まる多角形状の開口（１４）を有していることを特徴とする携帯型無線端末機。
【請求項２】
前記ケーシング（１）の凹部（１５）は、前記開口（１４）から底面に至るまで、前記開口（１４）の形状と同じ断面形状を有する多角柱状の空間に形成されている請求項１に記載の携帯型無線端末機。
【発明の詳細な説明】
【０００１】
【発明の属する技術分野】
本発明は、携帯電話機の如く、ケーシングにアンテナを突設した携帯型無線端末機に関するものである。
【０００２】
【従来の技術】
従来、携帯電話機においては、扁平なケーシングにポール状のアンテナが取り付けられており、該アンテナは、ケーシング内部に収容された収容位置と、ケーシングから引き出された引出し位置との間で、往復移動が可能となっている（例えば特許文献１及び特許文献２参照）。
【０００３】
例えば図９に示す折り畳み式携帯電話機においては、本体ケーシング（１０）と蓋体ケーシング（２０）がヒンジ機構（３０）を介して互いに開閉可能に連結されている。本体ケーシング（１０）の表面には、複数の操作キー（１１）が配列されると共に、送話部（１２）が設けられており、更にヒンジ機構（３０）側の端部の近傍には、アンテナ（８）が本体ケーシング（１０）に対して伸縮可能に取り付けられている。
又、蓋体ケーシング（２０）の表面には、メインディスプレイ（図示省略）が配備されると共に、受話部（図示省略）が設けられており、蓋体ケーシング（２０）の背面には、サブディスプレイ（２３）及びカメラ（２４）が配備されている。
【０００４】
図１０に示す如く、アンテナ（８）は、ホイップアンテナとして機能するポール部（８３）の先端にジョイント（８４）を介して円柱状の摘み部（８１）が同軸上に連結して取り付けられており、ポール部（８３）の他方の端部には、本体ケーシング（１０）に内蔵された回路基板とポール部（８３）とを電気的に接続すべき端子部（８５）が形成されている。
尚、摘み部（８１）にはヘリカルコイルが内蔵されており、該ヘリカルコイルはアンテナ収容時に前記回路基板と電気的に接続され、アンテナとして機能する。
【０００５】
図９に示す如く、本体ケーシング（１０）のヒンジ機構（３０）側の端面には、アンテナ収容位置にてアンテナ（８）の摘み部（８１）を収容するための凹部（１９）が形成されている。該凹部（１９）の底面には貫通孔が開設されており、該貫通孔から本体ケーシング（１０）の内部に向けて、図１０に示すアンテナ（８）のポール部（８３）を収容するためのポール収容部が形成されている。該ポール収容部には、端子部（８５）が摺動可能に嵌まっており、これによってアンテナ（８）の往復移動が案内される。
【０００６】
【特許文献１】
特開２００１−９４６４６号公報
【特許文献２】
特開２００１−２５１１１３号公報
【０００７】
【発明が解決しようとする課題】
しかしながら、図９に示す従来の携帯電話機において、アンテナ（８）は、本体ケーシング（１０）から引き出された引出し位置でポール部（８３）を中心として自由に回転することが可能であると共に、アンテナ（８）を本体ケーシング（１０）内に収容し、摘み部（８１）を凹部（１９）に収容した収容位置においてもポール部（８３）を中心として自由に回転することが出来るため、例えば摘み部（８１）の表面に商標等の表示を付した場合、使用者がアンテナ（８）の収容操作及び引出し操作を無造作に繰り返すうちに、アンテナ収容位置にて摘み部（８１）が商標を正面とは異なる方向へ向けて凹部（１９）に収容されてしまう虞があった。
【０００８】
上記問題を解決するため、アンテナの摘み部を角柱状に形成すると共に、ケーシングの凹部も摘み部の形状に合わせて、開口面から底面に至るまで角柱状の空間に形成することが考えられる。
この様な携帯電話機においては、摘み部の底面の形状と凹部の開口との形状が一致しなければ凹部に摘み部を挿入することが出来ないので、摘み部は凹部に常に所定の向きで挿入されることとなり、これによって、アンテナ収容位置にて摘み部の表面に付した商標等の表示を常に正面に向けることが可能となる。
【０００９】
ところが、上記携帯電話機のアンテナをケーシング内に収容するとき、摘み部を回転させて摘み部の底面の形状と凹部の開口の形状とを一致させなければ、摘み部を凹部に挿入することが出来ないため、従来の如くアンテナをケーシングに向けて単に押圧するだけでは、アンテナをケーシング内部に収容することが出来ないという問題が生じる。
【００１０】
そこで本発明の目的は、アンテナをケーシングに向けて単に押圧するだけで、摘み部を特定の方向に向けてアンテナをケーシングに収容することが出来る携帯型無線端末機を提供することである。
【００１１】
【課題を解決する為の手段】
ケーシング（１）の端部に、ポール部（６）と摘み部（５）を同軸上に具えたアンテナ（４）が、ポール部（６）をケーシング（１）内に収容した収容位置とポール部（６）をケーシング（１）から引き出した引出し位置との間で往復移動可能、且つポール部（６）を中心として回転可能に取り付けられ、ケーシング（１）には、アンテナ（４）の摘み部（５）が嵌合すべき凹部（１５）が形成され、該凹部（１５）の底面にアンテナ（４）のポール部（６）が貫通する孔（１６）が開設されている。
前記アンテナ（４）の摘み部（５）には、ポール部（６）側の端部に、前記ケーシング（１）の凹部（１５）に嵌入可能な捻り部（５２）が形成され、該捻り部（５２）は、前記往復移動方向と直交する断面の形状が複数の辺を点対称に配置してなる多角形状を呈すると共に、該断面形状がその図芯を中心としてアンテナ（４）の先端側から基端側に向かって徐々に回転しつつ縮小しており、前記ケーシング（１）の凹部（１５）は、アンテナ（４）の捻り部（５２）の最大断面形状を有する部位との嵌合位置に、該部位が密に若しくは周囲に僅かな余裕をもって嵌まる多角形状の開口（１４）を有している。
【００１２】
上記本発明に係る携帯型無線端末機のアンテナ（４）をケーシング（１）内に収容する過程において、引出し位置にあるアンテナ（４）の摘み部（５）をケーシング（１）に向けて押圧すると、先ず、捻り部（５２）の底面から僅かに高い位置にある多角形状の断面の各頂点が凹部（１５）の内周縁に当接する。更にアンテナ（４）をケーシング（１）に向けて押圧すると、捻り部（５２）は、底面からの各高さの位置における前記多角形状の断面の各頂点を前記内周縁に当接させながら凹部（１５）に挿入されることとなり、摘み部（５）は、捻り部（５２）のこのような挿入動作に合わせて徐々に回転する。
該回転により、捻り部（５２）を凹部（１５）に挿入するときに生じていた摘み部（５）の断面形状と開口（１４）の形状の位相差が徐々に小さくなり、最終的には、捻り部（５２）と凹部（１５）の開口（１４）の位相が一致すると共に、摘み部（５）の本体（５１）の断面形状と凹部（１５）の開口（１４）の形状が一致して、捻り部（５２）は凹部（１５）に嵌合し、これによって、摘み部（５）は特定の方向を向いた姿勢をとることとなる。
【００１３】
従って、アンテナ（４）をケーシング（１）に向けて単に押圧するだけで、摘み部（５）を所定の方向に向けてアンテナ（４）をケーシング（１）内に収容することが出来る。又、アンテナ収容位置にて摘み部（５）は回転することはない。
この結果、摘み部（５）の表面に商標等の表示を付した場合も、該表示を常に正面に向けてアンテナ（４）をケーシング（１）に収容することが出来る。
【００１４】
具体的構成において、前記ケーシング（１）の凹部（１５）は、前記開口（１４）から底面に至るまで、前記開口（１４）の形状と同じ断面形状を有する多角柱状の空間に形成されている。
該具体的構成においては、摘み部（５）の捻り部（５２）が凹部（１５）に挿入された状態において、捻り部（５２）は凹部（１５）の開口（１４）近傍の内周壁と当接するのみであるので、凹部（１５）の内壁によって摘み部（５）を凹部（１５）に向けて挿入する操作が妨げられることはない。
【００１５】
【発明の効果】
本発明に係る携帯型無線端末機によれば、アンテナをケーシングに向けて単に押圧するだけで、摘み部を特定の方向に向けてアンテナをケーシングに収容することが可能である。
【００１６】
【発明の実施の形態】
以下、本発明を折り畳み式携帯電話機に実施した形態につき、図面に沿って具体的に説明する。
本発明に係る折り畳み式携帯電話機においては、図１に示す如く、本体ケーシング（１）と蓋体ケーシング（２）がヒンジ機構（３）を介して互いに開閉可能に連結されている。本体ケーシング（１）の表面には、複数の操作キーが配列されると共に、送話部が設けられている。
又、蓋体ケーシング（２）の表面には、メインディスプレイが配備されると共に、受話部が設けられており、蓋体ケーシング（２）の背面には、サブディスプレイ（２３）及びカメラ（２４）が配備されている。
【００１７】
本体ケーシング（１）のヒンジ機構（３）側の端部の近傍には、ポール部（６）と四角柱状の摘み部（５）を同軸上に具えたアンテナ（４）が、図１の如くポール部（６）を本体ケーシング（１）から引き出した引出し位置と、図２の如くポール部（６）をケーシング（１）内に収容した収容位置との間で、往復移動可能であると共に、ポール部（６）を中心として回転可能に取り付けられている。
【００１８】
図１及び図３に示す如く、本体ケーシング（１）には、アンテナ（４）の摘み部（５）が嵌合すべき正方形状の開口（１４）を有する凹部（１５）が形成されており、該凹部（１５）には、開口（１４）から底面に至るまで、四角柱状の空間が形成されている。図５に示す如く、凹部（１５）の底面にはアンテナ（４）のポール部（６）が貫通する貫通孔（１６）が開設されており、該貫通孔（１６）には、アンテナ（４）の姿勢を保持すべきホルダー（１７）が本体ケーシング（１）の内側から貫通孔（１６）と同軸上に連結されている。
【００１９】
図１に示す如く、ポール部（６）は、ポール部（６）の大部分を占めるホイップアンテナ部（６１）と、該ホイップアンテナ部（６１）の先端を覆うジョイント（６２）とを具えており、アンテナ（４）を本体ケーシング（１）から引き出した引出し位置にて、本体ケーシング（１）に内蔵された回路基板とホイップアンテナ部（６１）とが電気的に接続されることにより、ポール部（６）はアンテナとして機能する。
摘み部（５）は、四角柱状の本体（５１）に捻り部（５２）を具えており、本体（５１）の側面にはロゴ（５３）が付されていると共に、内部にはヘリカルコイルが設置されている。該ヘリカルコイルは、アンテナ（４）を本体ケーシング（１）に収容した収容位置にて本体ケーシング（１）に内蔵された回路基板と電気的に接続され、アンテナとして機能する。
【００２０】
図４（ｂ）に示す如く、摘み部（５）の本体（５１）は、ホイップアンテナ部（６１）と直交する断面にて正方形状の断面形状を有しており、捻り部（５２）は、図４（ｂ）の如く本体と同形の断面形状から、図４（ｆ）の如く本体（５１）の断面形状よりも小さい正方形状の断面形状まで、図４（ｂ）〜図４（ｆ）の如く正方形状の断面形状がその図芯を中心として徐々に回転しながら縮小して形成されている。
【００２１】
上記本発明の折り畳み式携帯電話機のアンテナ（４）を本体ケーシング（１）内に収容する過程において、引出し位置にあるアンテナ（４）の摘み部（５）を本体ケーシング（１）に向けて押圧すると、先ず、図５（ａ）（ｂ）の如く捻り部（５２）の底面から僅かに高い位置▲１▼における捻り部（５２）の断面の各頂点が凹部（１５）の開口（１４）の内周縁に当接する。引き続きアンテナ（４）を本体ケーシング（１）に向けて押圧すると、図６（ａ）（ｂ）の如く前記高さ位置▲１▼から僅かに高い位置▲２▼における捻り部（５２）の断面の各頂点が凹部（１５）の開口（１４）の内周縁に当接すると共に、摘み部（５）は僅かに回転して凹部（１５）に挿入されることとなる。更にアンテナ（４）をケーシング（１）に向けて押圧すると、図７（ａ）（ｂ）の如く前記位置▲２▼から僅かに高い位置▲３▼における捻り部（５２）の断面の各頂点が凹部（１５）の開口（１４）の内周縁に当接すると共に、摘み部（５）は更に回転して凹部（１５）に挿入される。
この様にしてアンテナ（４）をケーシング（１）に向けて単に押圧するだけで、摘み部（５）は、捻り部（５２）と凹部（１５）の内周縁との当接により、摘み部（５）自身を回転させながら凹部（１５）に挿入されることとなる。
【００２２】
又、摘み部（５）の凹部（１５）への挿入動作に伴う回転により、アンテナ（４）を本体ケーシング（１）に収容するときに生じていた摘み部（５）の断面形状と凹部（１５）の開口（１４）の形状との位相差は、徐々に小さくなる。
最終的には、図８（ａ）（ｂ）に示す如く、摘み部（５）と凹部（１５）の開口（１４）の位相が一致すると共に、摘み部（５）の本体（５１）の断面形状と凹部（１５）の開口（１４）の形状が一致して、捻り部（５２）は凹部（１４）と嵌合すると同時に、摘み部（５）は該嵌合によりロゴ（５３）を正面に向けた姿勢となる。
【００２３】
従って、アンテナ（４）を本体ケーシング（１）に向けて単に押圧するだけで、摘み部（５）を所定の方向に向けてアンテナ（４）を本体ケーシング（１）内に収容することが出来る。又、アンテナ収容位置にて摘み部（５）は回転することはない。
この結果、摘み部（５）の表面に付したロゴ（５３）を常に正面に向けてアンテナ（４）を本体ケーシング（１）に収容することが出来る。
【００２４】
又、摘み部（５）の捻り部（５２）が凹部（１５）に挿入された状態において、捻り部（５２）は凹部（１５）の開口（１４）近傍の内周壁と当接するのみであるので、凹部（１５）の内壁によって摘み部（５）を凹部（１５）に向けて挿入
する操作が妨げられることはない。
【００２５】
尚、本発明の各部構成は上記実施の形態に限らず、特許請求の範囲に記載の技術的範囲内で種々の変形が可能である。例えば、凹部の開口の形状の大きさを捻り部の底面からの所定の高さ位置の断面形状の大きさと等しくしても、上記実施例と同様の効果が得られる。又、摘み部の断面形状と等しい開口を有する凹部の底面から開口までの高さを捻り部の高さより大きくしても、上記実施例と同様の効果が得られる。
【図面の簡単な説明】
【図１】本発明に係る折り畳み式携帯電話機の斜視図である。
【図２】該折り畳み式携帯電話機のアンテナを本体ケーシング内に収容した状態を示す斜視図である。
【図３】該折り畳み式携帯電話機においてアンテナを本体ケーシングから引き出した状態を示す斜視図である。
【図４】アンテナの拡大正面図及び断面図である。
【図５】捻り部が凹部に挿入される過程の第１段階を示す図である。
【図６】捻り部が凹部に挿入される過程の第２段階を示す図である。
【図７】捻り部が凹部に挿入される過程の第３段階を示す図である。
【図８】捻り部の底面が凹部の底面に達した状態を示す断面図である。
【図９】従来の携帯電話機を示す斜視図である。
【図１０】該携帯電話機のアンテナを示す正面図である。
【符号の説明】
（１）  本体ケーシング
（１４）  開口
（１５）  凹部
（２）  蓋体ケーシング
（３）  ヒンジ機構
（４）  アンテナ
（５）  摘み部
（５２）  捻り部
（５３）  ロゴ
（６）  ポール部
【図１】
2004221728.tif 000003
【図２】
2004221728.tif 000004
【図３】
2004221728.tif 000005
【図４】
2004221728.tif 000006
【図５】
2004221728.tif 000007
【図６】
2004221728.tif 000008
【図７】
2004221728.tif 000009
【図８】
2004221728.tif 000010
【図９】
2004221728.tif 000011
【図１０】
2004221728.tif 000012